(57)【要約】【課題】ポーラスコンクリート製の一対の波返し型ブロック本体と古タイヤとを組合わせて魚介類の生息、稚魚の育成に有効な環境を提供できる魚礁を提供する。【解決手段】表面に複数個の大中小の自然石を露出させて埋込んだポーラスコンクリート製の波返し型ブロック本体を一対背中合わせに所定間隔存して並設し、これら一対のブロック本体の背面側で少なくとも２本の古タイヤを挟持し、上記自然石が形成する隙間に位置させて上記一対のブロック本体に複数本の筒体を貫設し、同筒体のうちの少なくとも１本の内側開口部を上記古タイヤそれぞれの内側空胴部に開口させた魚礁。【選択図】              図４
2004215632.tif 000002
【特許請求の範囲】
【請求項１】
表面に所要数の大中小の自然石が露出する状態で埋め込まれた波返し型のポーラスコンクリート製のブロック本体をその背面側を所定間隔存して相対峙させて並設し、上記一対のブロック本体の背面側で古タイヤを挟持させ、上記ブロック本体の上部を連結材で一対的に連結し、上記ブロック本体のそれぞれに直径並びに長さの異なる複数本の筒体を所定間隔で貫設し、上記筒体の少なくとも２本の内側開口部を上記古タイヤの内側空胴部に開口させたことを特徴とする魚礁。
【発明の詳細な説明】
【０００１】
【発明の属する技術分野】
本発明は海、河川及び湖沼などに沈設する魚礁特に古タイヤを利用した魚礁の改良に関するものがある。
【０００２】
【従来の技術】
近年の海産物の減少は著しく本出願人が住む地域のある離島に於いては住民の大半が漁業により生計をたてていたが漁獲量が半分以下となり、島の振興策にも拘らず専業漁家で他に職を島外に求めている現状にあり、又一方浅い海の砂浜地域においてはアサリ漁は１０％と減少し、その対策に漁協漁民一体となってその対策に腐心しているのが現状で、その原因は魚群探知機や魚具の開発による濫獲もさることながら海水の汚染によるものが大きな原因と考えられ、漁民の話によると魚介類の繁殖期には魚介類の死骸で海が白くなる程であるという。このためには海中に岩礁を作り海水の浄化をはからなければならない。その１つとして自然石を多孔質のポーラスコンクリートブロックからなる魚礁に植え込みこれに海藻類を付着繁茂させ、２つ目として魚礁全体で海水の湧昇流を発生させこれに溶存酸素などが加わり海水の浄化を計るとともに水を浄化させる多項質のポーラスコンクリートからなるコンクリートブロックを用い、さらにその中に竹炭の粉末を併用し、一段の海水の浄化を図りプランクトンの発生を昴揚させ、さらに比較的比重の重い硝酸、燐有機酸などをブロック本体の波返し面により波の打ち寄せる海水を海面近くまで押上げ太陽による光合成によるプランクトンの発生を促すことなどを狙い本発明を考えた。
【０００３】
そこで、従来のこの種魚礁の先行技術を調べた結果古タイヤとコンクリートブロックとを、組み合わしたものが提案されていた。（例えば特許文献１参照）
また、多数の古タイヤを金属製立方枠に詰め、同枠内にコンクリートを打設したものも提案されていた。（例えば特許文献２参照）
【０００４】
上記した前者の魚礁は例えば五角柱形状に成形したブロック本体の斜面部に古タイヤを嵌め込むための嵌合凹部に古タイヤ外周面の半周以上が嵌り込むように古タイヤを圧入嵌合させる嵌合部を設けたものである。
【０００５】
また、上記した後者の魚礁は角パイプで作った金属性立方枠に回転軸心方向に一列状に並び揃えた古タイヤを複数列詰め込み、古タイヤを上記立方枠との間にコンクリートを打設したものである。
【０００６】
【特許文献１】
特公平８−２４５０８号（第４頁、第１図及び第３図）
【特許文献２】
特開平８−７０７３０号（第６頁、第３図及び第４図）
【０００７】
【発明が解決しようとする課題】
上記した従来の魚礁は何れも古タイヤを利用するために提案された発明であるが、前者は五角柱状のブロック本体の製作が面倒で、しかも斜面部に形成した嵌合凹部に弾性が強くかつ肉厚の固いタイヤをスムーズに圧入嵌合させるには難があると思われ、また、後者の魚礁にあっても立方枠の製作に手間がかかるばかりかタイヤを揃え立方枠に詰め込むのにも手間がかかるし、更にこれらの魚礁には魚介類が住みつき易いスペースが十分にあるとは云えず、費用対効果の面から見ても魚礁として十分な機能を発揮しているとは思われない。
【０００８】
本発明は上記した従来の魚礁が有していた不具合点を未然に解消しようとするもので、構成が簡単で魚介類が住み易い環境を醸し出す魚礁を提供できるばかりか、ブロック本体の表側に複数個の姿・形の異なる大中小の自然石を露出させて貝類も住み易くアワビ、サザエなどや藻や水草類も付着成育できるいわゆる岩礁としての機能をも発揮できるようにしたものである。
【０００９】
【課題を解決するための手段】
本発明は、表面に所要数の大中小の自然石が露出する状態で埋め込まれた波返し型のポーラスコンクリト製のブロック本体をその背面側を所定間隔存して相対時させて並設し、上記一対のブロック本体の背面側でタイヤを挟持させ、上記ブロック本体の上部を連結材で一体的に連結し、上記ブロック本体のそれぞれに直径並びに長さの異なる複数体の筒状を所定間隔で貫設し、上記筒体の少なくとも２本の内側開口部を上記古タイヤの内側空胴部に開口させたことを特徴とし、その目的とするところはきわめて簡単な構成で従来の問題点を未然に解消しうる魚礁を提供しようとするものである。
【００１０】
【発明の実施の形態】
本発明の最も好ましい図示実施例について説明する。図１〜図４において１は箱型の中枠体で、正面視長方形で高さ（深さ）約６００ｍｍに構成されており、後記する外枠体９と一体的に台枠Ｂに取り付けられて図示していない周知の振動台に載置されている。２は中空状の中仕切枠体で、天板３はブロック本体Ａの表側のいわゆる波返し機能を果す裾部が末広がり状に拡がる凹曲面状の法面（法面はブロック本体の上面の延長線上に中心点を持つ半径１７５０ｍｍの円弧面である。）にほぼ平行する凸曲面をなし、上記中枠体１の底部に抜き差し自在に装着される。この中仕切枠体２は中空状の箱型に構成されている、が天板を上記した凸曲面と同一の凸曲面を有する折曲げられた板状体で形成してもよい。この中仕切枠体２が中枠体１内にセットされた後その天板上に所定の厚さ例えば２５０ｍｍ程度に一様に層状に３〜８ｍｍ程度の乾いた玉砂利を詰めて玉砂利層４を形成させる。
【００１１】
ついで、高さが約３５０ｍｍで姿・形がそれぞれ異なる大中小の自然石５を所要数予め定めたレイアウトに沿って上記玉砂利層４の中に潜り込ませ自然石５の頂部を上記天板３に当接させ、同時に予め所定長さに裁断された筒体を構成するボイド管６をこれまた予め定められたレイアウトに沿って上記自然石５で形成される隙間（図２参照）に納まるようにして上記玉砂利層４内に先端（ボイド管６の出口側）が上記天板３に接するまで押し込んだ後上記中枠体１に予備振動を与え、自然石５及びボイド管６を安定させるとともに乾いた玉砂利が中枠体１の枠縁より約３０〜５０ｍｍ下がった面で固まるように玉砂利を締め固める。
【００１２】
こうして乾いた玉砂利が固められるとその締め固められた玉砂利層４の上に湿った玉砂利７を中枠体１の枠一杯に充填し、再度中枠体全体に振動を加え、この玉砂利７を締め固め、この締め固められた湿った玉砂利の面と上記締め固められた玉砂利層４との境界面に微細な凹凸面状の境界層を形成させる。
続いて、上記中枠体１の四辺底部に蝶着されている枠片８をそれぞれ引起こし、四隅部を締め外枠体９を組立てる。
【００１３】
外枠体９が組立てられると骨材２０〜５ｍｍ、水セメント比１５〜２０％と混和剤の他竹炭粉とセメント１．５％を混ぜたポーラスコンクリートを外枠体９内に打設する。この時自然石５にはその表面が軽く湿める程度に水を吹きかけ、外枠体内に打設された微細な凹凸面から下方への侵入は阻止され、ポーラスコンクリートと湿った玉砂利は強く接着する。同時に外枠体９内に露出している自然石及びボイド管はポーラスコンクリートに包み込まれる。
ついで、外枠体全体に振動を少なくとも３回程加える。これによりポーラスコンクリートは自然石の微細な表面に密着し、自然石を強固に包持するとともにボイド管も包持される。
【００１４】
ポーラスコンクリートの打設が終ると周知の要領で同コンクリートを養生硬化させるが、同コンクリートを打設する前にブロック本体Ａの上面の接着する外枠体９の枠片８に後記する連結材１０固定用の雌ねじが加工されている図示していない周知の固定具が離脱可能に、又ブロック本体Ａの両側面に接着する外枠片９の枠片８に後記するブロック転倒滑動防止金具１２を支承する止め金具１３を固定するための上記固定具と同様の固定具が離脱可能に配設されており、上記枠片８がブロック本体Ａから剥離される時、上記した雌ねじが加工されている固定具はそれぞれ上記枠片８から離脱しブロック本体Ａの上面及び両側面に埋込まれるように構成されている。
【００１５】
上記したようにポーラスコンクリートが養生固化されてから外枠体８をブロック本体Ａから剥離して開き、ついで、中枠体１及び台枠Ｂからブロック本体Ａを吊上げて上記振動台から離れた位置に置かれている図示していない台座上にクレーンその他の建設機械を使用して移す。
このブロック本体Ａが台座上に移される時中枠体１の中仕切枠体２上に敷き詰められている玉砂利は乾いているため格別な作業をするまでもなく自然に自然石５やボイド管６から剥離離脱する。
ついで、上記要領で作成されたもう一つのブロック本体Ａを上記台座上にブロック本体Ａの背面側を向き合わせ所定間隔隔てて載置する。この時一対のブロック本体Ａで挟持させる予め用意してある２本の古タイヤ１４、１４を上記ブロック本体Ａ，Ａの背面側で形成された間に押し込み同ブロック本体で挟持する。
【００１６】
古タイヤ１４，１４がブロック本体Ａ，Ａに挟持されると上記した連結材１０，１０をブロック本体Ａ，Ａの上面に置き、止め具であるボルト類１１を上記した固定具に螺じ込み、固定し、ブロック本体Ａ，Ａを一体的に連絡する。
同時に上記した転倒滑動防止金具１２，１２を止め金具１３，１３を介してブロック本体Ａ，Ａの両面下方に固定し、ブロック本体の沈設時転倒滑動防止金具の先端部を泥砂地に潜り込ませ、ブロック本体の転倒や横滑りを防止する。なお、ブロック本体の沈設箇所が固い地盤であれば図２に鎖線で示すように上記防止金具１２，１２の先端部をハの字状に横に開けた状態で使用し、ブロック本体の横滑りを防ぐ。
【００１７】
本実施例においては図３に示すように古タイヤ１４の中央空胴部Ｃの下方部に１本のボイド管６の内側開口部を開口させているが、上記空胴部Ｃの上方部にも開口させるようにしてもよく、また上記空胴部Ｃの右側に１本、左側に２本開口させ、その開口位置を上下に段差をつけたり左右にずらしたりして空胴部Ｃ内に新鮮な栄養分を含む海水が流れ込み易くなり、その上静かな流れを派生させ、魚たちにとって好適な隠れ場所を提供できる。
また、ブロック本体Ａ，Ａに挟持する古タイヤの本数や太さなどはブロック本体の沈設位置（場所）や魚介類の種類などにより取捨選択して決めることにより魚類の飼育・増殖に役立つ場所を提供できる。
【００１８】
さらに、本実施例は一対のブロック本体Ａ，Ａの天板部の幅は１ｍ、底部の幅は１．７ｍ、高さは１ｍ、そして横幅は２ｍに構成してあり、天板部は連結材１０、１０で、下方部は転倒滑動防止金具１２、１２でブロック本体Ａ、Ａは一体的に連結されており、左右のブロック本体の表側裾部はいわゆる末広がり状に形成されているから海底に安定した状態で沈設できる。なお、上記した寸法は一例であつて沈設場所により取捨選択して決めることができる。
【００１９】
また、本実施例においては筒状にボイド管を用いているが、これをいわゆる土管や竹炭を使用してもよく、竹炭の場合は上記空胴部Ｃ内に滞溜する海水の浄化はもちろん周辺部の海水の浄化にも役立ち、節を残したまま焼成した竹炭の場合、その節のところがいわゆる穴蔵を形成し、穴蔵内で産卵・育成する習性を持つ蛸や鰻、穴子などにとって好適な住み家を提供でき、盲蓋をした土管を使用すれば蛸壺として利用でき、また筒体の直径を魚類の大きさに適応する太さにして大中小の魚がタイヤの空胴部に入り易くなり、これまた、好適な住み家を提供できる。さらに又、上記した竹炭は筒状のまま用いて上記空胴部Ｃ内に滞溜する海水の浄化や周辺部の海水の浄化に寄与するがこの竹炭を粉状にしたいわゆる竹炭粉末をセメントの１．５％混ぜたポーラスコンクリートを上述の要領で外枠体内に打設してもよく、この場合はポーラスコンクリートの多孔質の穴に海水が滲込み、コンクリート本体そのものによっても海水の浄化が計れる利点がある。
【００２０】
なお、上記実施例を一列状に複数対並べて沈設したり、平面視コの字状や箱型或いは三角形状などに配列して沈設してもよく、これらの場合はブロック本体の表側が波返し面を形成しているから大きな波は波返し面でひっくり返り、その波で次の波は打ち砕かれ、しかも上記表面に露出している大中小の自然石によっても砕かれるからブロック本体設置位置の反対側の海面やブロック本体に囲まれた水域内の波は穏やかになり、ブロック本体のポーラスコンクリートによる多孔質の面には海藻の細根が潜り込みその生長が助けられ、一方上記自然石の微細な表面にはいわゆる苔類も付着する。そのため魚の住み家として好適な領域を提供できる。
さらに上記自然石の表面には長年の間には光合成により苔や海草などが付着し、サザエやアワビに最適な好餌場所になるなど水産資源の育成増加にも寄与できる。
さらにまた本実施例においては上記した波返し面と同面から露出する大中小の自然石の露出面との相関関係でブロック本体の底辺域に淀んでいる海水に攪乱効果を与え海水の湧昇を促し、上記底辺部の海水の淀みをなくし浄化を助ける効果もある。
【００２０】
【発明の効果】
本発明は上記実施例の説明から理解できるとあり、ブロック本体の表面は波返し型に成形されているから上記表面に海水が打ち寄せると波が上層部に押し上げられ、この波が上記表面の波返し面に沿って引繰り返り次に来る新しい波を殺し、いわゆる消波に大いなる役をし、魚礁の転倒をまた滑動を防止する機能を果たすとともに海水の湧昇流発生を促し海底にたまっている燐酸塩や硝酸塩などの栄養塩を太陽光のとどく上層部に押し上げ、光合成作用によりプランクトンの発生を促すとともにポーラスコンクリートの多孔質の面に着生する海藻の着生と成長を助け、これにより魚の住み易い環境を作る効果を果す。
【００２１】
またブロツク本体に挟持される古タイヤの中央胴部はブロック本体の背面部で囲われ同時に上記空胴部に開口している筒体から常に新鮮な栄養分を含む海水が流れ込み、その内部は暗い雰囲気を醸し出すため外敵である大型の魚の侵入を防ぎ魚の成育、稚魚の生育成長に寄与するなどの利点を、又上記ブロック本体の全面に太陽光線による光合成の影響で海藻類が付着し易くなり水産資源の育成増加に寄与できるなど優れた効果を発揮できる。
【図面の簡単な説明】
【図１】本発明一実施例でその作業要領を説明する概略断面説明図
【図２】上記実施例の正面図
【図３】上記実施例の側面図で右半分は図２のＡ−Ａ線に沿う概略断面図
【図４】上記実施例の概略斜視説明図
【符号の説明】
Ａ  ブロツク本体
Ｂ  台枠
Ｃ  古タイヤ１４の中央空胴部
１  中枠体
２  中枠体１の中に設置される中仕切枠体
３  天板
４  乾いた玉砂利層
５  自然石
６  筒体（ボイド管）
７  湿った玉砂利
８  枠片
９  外枠体
１０  連結材
１２  転倒防止具
１４  古タイヤ
【図１】
2004215632.tif 000003
【図２】
2004215632.tif 000004
【図３】
2004215632.tif 000005
【図４】
2004215632.tif 000006